(57)【要約】【課題】理想のフォームと自分のフォームとを画像上で視覚的に明確に比較でき、改良すべきポイントが正確に理解できるフォーム評価システムの提供を目的とする。【解決手段】ゴルフなどのフォームのチェックポイントをフォーム評価の基準データとしてデータベース化する。会員の動画像データから所定分割数の静止画を作成し、これら静止画をコンピュータの画面に表示し、会員の静止画のフォームをデータベースを基準として評価し、この評価に基づいて時系列的に変化する所定分割数の静止画と、これら静止画ごとに掲載されたフォーム指導コメントを含むフォーム評価シートを作成する。【選択図】図３
2005288014.tif 000002
【特許請求の範囲】
【請求項１】
ゴルフなどのスポーツの理想のフォームのチェックポイントとその評価基準をフォーム評価の基準データとしてデータベース化する一方、前記フォームのチェックを希望する被評価者のフォームを撮影した動画像データから所定分割数の静止画を作成し、これら静止画をコンピュータの画面に表示し、この被評価者の静止画のフォームを前記データベースを基準として評価しこの評価に基づいて時系列的に変化する所定分割数の静止画と、これら静止画ごとに掲載されたフォーム指導コメントを含むフォーム評価シートを作成し、該フォーム評価シートを被評価者に提供するフォーム評価システムであって、前記フォーム評価シートを作成するためのコンピュータを、
静止画の基準フォームからのずれを観察するために使用される１つ又は複数の評価スケールを格納する評価スケール格納手段、
前記フォーム評価シートの各欄に挿入するためのデータを格納するフォーム評価データベース格納手段、
コンピュータの画面に表示されている静止画に前記評価スケールを所望のサイズで任意の位置に重ねて表示し合成画像を形成する合成画像形成手段、
コンピュータの画面に表示した評価スケールと静止画との合成画像及びフォーム指導コメントを前記フォーム評価データベースに入力するデータ入力手段、
前記フォーム評価データベースのデータを前記フォーム評価シートに変換するフォーム評価シート変換手段、
として機能させたことを特徴とするフォーム評価システム。
【請求項２】
ゴルフなどのスポーツの理想のフォームのチェックポイントとその評価基準をフォーム評価の基準データとしてデータベース化する一方、被評価者の動画像データから所定分割数の静止画を作成し、これら静止画をコンピュータの画面に表示し、被評価者の静止画のフォームを前記データベースを基準として評価しこの評価に基づいて時系列的に変化する所定分割数の静止画と、これら静止画ごとに掲載されたフォーム指導コメントを含むフォーム評価シートを作成し、該フォーム評価シートをインターネットを通じて被評価者に提供するフォーム評価システムであって、前記フォーム評価シートを作成するためのコンピュータを、
静止画の基準フォームからのずれを観察するために使用される１つ又は複数の評価スケールを格納する評価スケール格納手段、
前記フォーム評価シートの各欄に挿入するためのデータを格納するフォーム評価データベース格納手段、
コンピュータの画面に表示されている静止画に前記評価スケールを所望のサイズで任意の位置に重ねて表示し合成画像を形成する合成画像形成手段、
コンピュータの画面に表示された評価スケールと静止画との合成画像及びフォーム指導コメントを前記フォーム評価データベースに入力するデータ入力手段、
前記フォーム評価データベースのデータをウェブ用の前記フォーム評価シートに変換するウェブ処理手段、
前記フォーム評価シートを被評価者ごとにインターネット上のウェブサイトにアップロードするアップロード手段、
として機能させたことを特徴とするフォーム評価システム。
【請求項３】
フォーム評価シートは、評価表示欄を備え、コンピュータを、キーボードから評価表示欄に技量のレベルを数値的に表す評価データを記入する評価データ入力手段として機能させたことを特徴とする請求項１又は請求項２に記載のフォーム評価システム。
【請求項４】
フォーム評価シートは、アドバイス表示欄を備え、コンピュータを、キーボードから専門家のアドバイスを前記アドバイス表示欄に記入するアドバイス入力手段として機能させたことを特徴とする請求項１又は請求項２に記載のフォーム評価システム。
【請求項５】
評価スケールは、静止画の各ポイントの座標位置を表示するための格子パターンや、静止画の特定のラインの角度を表示するための分度器形状のパターン等、静止画の基準フォームからのずれを視覚的に表示するのに適した測定用パターンから構成されていることを特徴とする請求項１又は請求項２に記載のフォーム評価システム。
【請求項６】
所定分割数の静止画は、被評価者のフォームを正面と側面から同時に動画撮影して得られた２つの動画像データベースからそれぞれ作成した正面静止画像と側面静止画像とからなり、これらの正面静止画像と側面静止画像とを前記理想フォームのデータベースを基準として評価するようにしたことを特徴とする請求項１又は請求項２に記載のフォーム評価システム。
【請求項７】
ゴルフなどのスポーツの専門誌やプロの書籍などから理想のフォームのチェックポイントとその評価基準を理想フォームデータとしてデータベース化する理想フォームデータベース作成処理と、コンピュータに被評価者のフォームの動画を取り込む動画取込処理と、前記動画を時系列的連続静止画に変換する動画−静止画変換処理と、前記連続静止画から所定の数の時系列的に変化する静止画から所定抽出する静止画選択処理と、静止画に合成して静止画の各点の位置や角度等を視覚的に測定するための格子や分度器等のパターンを有する評価スケールを作成する評価スケール作成処理と、コンピュータを、前記動画及び連続静止画を格納する手段、１つ又は複数の評価スケールをメモリに格納する評価スケール格納手段、コンピュータの画面に表示されている静止画に前記評価スケールを所望のサイズで任意の位置に重ねて表示し合成画像を形成する合成画像形成手段、前記合成画像と該合成画像に対するフォーム評価データベースとしてメモリに格納するフォーム評価データベース格納手段、前記評価スケールと静止画との合成画像及びフォーム指導コメントを前記フォーム評価データベースに入力するデータ入力手段、前記フォーム評価データベースのデータを前記静止画と前記評価スケールとの合成画像及びこれに対応するフォーム指導コメントを含むフォーム評価シートに変換するフォーム評価シート変換手段として機能させるコンピュータ処理とを備えたことを特徴とするフォーム評価方法。
【請求項８】
インターネット上にフォーム評価に関するウェブサイトを構築するウェブサイト構築処理と、前記フォーム評価シートをブラウザで閲覧できる形式に変換しウェブサイトに掲載するアップロード処理とを更に備えたことを特徴とする請求項７に記載のフォーム評価方法。
【請求項９】
フォーム評価シートはゴルフスウィングを評価するゴルフスウィング評価シートであり、該シートにおける評価が一定の基準を満たすとハンディキャップを付与し、ハンディキャップ認定書を発行するハンディキャップ認定処理を更に備えたことを特徴とする請求項７又は請求項８に記載のフォーム評価方法。
【発明の詳細な説明】
【技術分野】
【０００１】
本発明は、フォームのチェックを希望する会員のフォームを撮影した動画像データから所定分割数の静止画を作成し、これら静止画をコンピュータの画面に表示し、この静止画のフォームを予め作成した理想フォームデータベースを基準として評価しこの評価に基づいて時系列的に変化する所定分割数の静止画と、これら静止画ごとに掲載されたフォーム指導コメントを含むフォーム評価シートを作成し、該フォーム評価シートをインターネットを通じて会員に提供するフォーム評価システムに関する。
【背景技術】
【０００２】
各種スポーツを行う人が、自己のフォームの問題点を上達者に的確に評価してもらい、これにより技量を向上させることを望んでいる需要は多く、そのため例えばゴルフ練習場等において講師（レッスンプロ）によりスウィングの指導を受けることが行われている。また、インターネット上のホームページを介してクライアントのゴルフスウィングの撮影画像を専門家に送信し、この画像に基づいて専門家が分析結果や助言を送信するシステムが知られている（例えば特許文献１参照）。また、ゴルフスウィングの欠陥を電子的に検出する各種のシステムが知られている（例えば特許文献２，３，４参照）。
【特許文献１】特開２００３−１５０６９９号公報
【特許文献２】特開２００４−８１６８３号公報
【特許文献３】特開２００３−１１７０４５号公報
【特許文献４】特開２００３−１１１８８０号公報
【発明の開示】
【発明が解決しようとする課題】
【０００３】
しかしながら、講師による指導は、講師の面前でなければ受けられないことから時間と場所が限定され、かつその講師にとっての基準スウィングと比較して被評価者のスウィングを評価する相対評価であることから、当然のことながら講師によって異なる評価が存在しがちであり、またその指導もことばによるアナログ的なもので、そしてその時点のみの１回性のもので、複数回の指導を受けてスウィングフォームが徐々に向上してもそれを測る尺度は存在しなかった。すなわち、フォームを絶対評価する基準が存在しないことから、たとえ継続的に指導を受けた場合でも指導による技量の向上を数値化して表すことはできなかった。一部には、ゴルフスウィングを画像に取り込んだ上で講師により指導されることもあるが、これとても普通のアナログ的な指導に添えられるオプションの域を出ないものであった。また電子的にゴルフスウィングを分析する手法は、電子的な分析結果からでは適格なアドバイスが得られにくく改良すべきポイントについても視覚的に理解しにくいという問題点がある。
【０００４】
そこで本発明にあっては、これらの課題を解決すべく、フォームを評価する時間と場所を限定することなく、またフォームを評価する講師の違いによることなくフォームを絶対評価し、かつフォームの評価を蓄積して時系列的な技量向上を評価することができるフォーム評価システムを提供することを目的とする。
【課題を解決するための手段】
【０００５】
上記目的を達成するため、本発明は、ゴルフなどのスポーツの理想のフォームのチェックポイントとその評価基準をフォーム評価の基準データとしてデータベース化する一方、前記フォームのチェックを希望する被評価者のフォームを撮影した動画像データから所定分割数の静止画を作成し、これら静止画をコンピュータの画面に表示し、この被評価者の静止画のフォームを前記データベースを基準として評価しこの評価に基づいて時系列的に変化する所定分割数の静止画と、これら静止画ごとに掲載されたフォーム指導コメントを含むフォーム評価シートを作成し、該フォーム評価シートを被評価者に提供するフォーム評価システムであって、前記フォーム評価シートを作成するためのコンピュータを、静止画の基準フォームからのずれを観察するために使用される１つ又は複数の評価スケールを格納する評価スケール格納手段、前記フォーム評価シートの各欄に挿入するためのデータを格納するフォーム評価データベース格納手段、コンピュータの画面に表示されている静止画に前記評価スケールを所望のサイズで任意の位置に重ねて表示し合成画像を形成する合成画像形成手段、コンピュータの画面に表示した評価スケールと静止画との合成画像及びフォーム指導コメントを前記フォーム評価データベースに入力するデータ入力手段、前記フォーム評価データベースのデータを前記フォーム評価シートに変換するフォーム評価シート変換手段、として機能させたものである。
【０００６】
また本発明は、ゴルフなどのスポーツの理想のフォームのチェックポイントとその評価基準をフォーム評価の基準データとしてデータベース化する一方、被評価者の動画像データから所定分割数の静止画を作成し、これら静止画をコンピュータの画面に表示し、被評価者の静止画のフォームを前記データベースを基準として評価しこの評価に基づいて時系列的に変化する所定分割数の静止画と、これら静止画ごとに掲載されたフォーム指導コメントを含むフォーム評価シートを作成し、該フォーム評価シートをインターネットを通じて被評価者に提供するフォーム評価システムであって、前記フォーム評価シートを作成するためのコンピュータを、静止画の基準フォームからのずれを観察するために使用される１つ又は複数の評価スケールを格納する評価スケール格納手段、前記フォーム評価シートの各欄に挿入するためのデータを格納するフォーム評価データベース格納手段、コンピュータの画面に表示されている静止画に前記評価スケールを所望のサイズで任意の位置に重ねて表示し合成画像を形成する合成画像形成手段、コンピュータの画面に表示された評価スケールと静止画との合成画像及びフォーム指導コメントを前記フォーム評価データベースに入力するデータ入力手段、前記フォーム評価データベースのデータをウェブ用の前記フォーム評価シートに変換するウェブ処理手段、前記フォーム評価シートを被評価者ごとにインターネット上のウェブサイトにアップロードするアップロード手段、として機能させたものである。
【０００７】
また本発明は、フォーム評価シートは、評価表示欄を備え、前記コンピュータを、キーボードから評価表示欄に技量のレベルを数値的に表す評価データを記入する評価データ入力手段として機能させたものである。
【０００８】
また本発明は、フォーム評価シートは、アドバイス表示欄を備え、前記コンピュータを、キーボードから専門家のアドバイスを前記アドバイス表示欄に記入するアドバイス入力手段として機能させたものである。
【０００９】
また本発明は、評価スケールは、静止画の各ポイントの座標位置を表示するための格子パターンや、静止画の特定のラインの角度を表示するための分度器形状のパターン等、静止画の基準フォームからのずれを視覚的に表示するのに適した測定用パターンから構成されているものである。
【００１０】
また本発明は、所定分割数の静止画は、被評価者のフォームを正面と側面から同時に動画撮影して得られた２つの動画像データベースからそれぞれ作成した正面静止画像と側面静止画像とからなり、これらの正面静止画像と側面静止画像とを前記理想フォームのデータベースを基準として評価するようにしたものである。
【００１１】
また本発明は、ゴルフなどのスポーツの専門誌やプロの書籍などから理想のフォームのチェックポイントとその評価基準を理想フォームデータとしてデータベース化する理想フォームデータベース作成処理と、コンピュータに被評価者のフォームの動画を取り込む動画取込処理と、前記動画を時系列的連続静止画に変換する動画−静止画変換処理と、前記連続静止画から所定の数の時系列的に変化する静止画から所定抽出する静止画選択処理と、静止画に合成して静止画の各点の位置や角度等を視覚的に測定するための格子や分度器等のパターンを有する評価スケールを作成する評価スケール作成処理と、コンピュータを、前記動画及び連続静止画を格納する手段、１つ又は複数の評価スケールをメモリに格納する評価スケール格納手段、コンピュータの画面に表示されている静止画に前記評価スケールを所望のサイズで任意の位置に重ねて表示し合成画像を形成する合成画像形成手段、前記合成画像と該合成画像に対するフォーム評価データベースとしてメモリに格納するフォーム評価データベース格納手段、前記評価スケールと静止画との合成画像及びフォーム指導コメントを前記フォーム評価データベースに入力するデータ入力手段、前記フォーム評価データベースのデータを前記静止画と前記評価スケールとの合成画像及びこれに対応するフォーム指導コメントを含むフォーム評価シートに変換するフォーム評価シート変換手段として機能させるコンピュータ処理とを備えたものである。
【００１２】
また本発明は、インターネット上にフォーム評価に関するウェブサイトを構築するウェブサイト構築処理と、前記フォーム評価シートをブラウザで閲覧できる形式に変換しウェブサイトに掲載するアップロード処理とを備えたものである。
【００１３】
また本発明は、フォーム評価シートはゴルフスウィングを評価するゴルフスウィング評価シートであり、該シートにおける評価が一定の基準を満たすとハンディキャップを付与し、ハンディキャップ認定書を発行するハンディキャップ認定処理を備えたものである。
【発明の効果】
【００１４】
本発明のフォーム自動評価システムによれば、ゴルフなどのスポーツの理想のフォームと自分のフォームとを画像上で簡単に比較でき、改良すべきポイントを客観的に理解することができるので、ゴルフなどのスポーツの速やかな上達が可能となる。
【発明を実施するための最良の形態】
【００１５】
以下に本発明に係るフォーム評価システムの構成について、図１〜図６を参照して詳細に説明する。
図１は本システムの概要を示すものであり、本実施形態にあってはゴルフにおけるクラブのスウィングのフォームを評価する場合を例にとり説明する。勿論、ゴルフ以外でも、テニス（特にサーブ）、野球のバッティング、水泳等のフォームの評価にも応用することが可能である。図１中、ブロック２は、本システムを利用して自己のフォームのチェックを希望する被評価者即ち利用者側の処理動作を示し、ブロック４は本システムを運営する運営者サイドの処理動作を示している。本システムの利用者は、主として（１）ゴルフ好きで費用を払っても上達したい人、（２）より良いスウィングを追求したい人、（３）レッスンプロに習っても、物足りない人、（４）周囲の人に気づかれずに上達したい人などが対象者として最適である。
【００１６】
利用者は、本システムの利用を、Ｗｅｂサイトから申し込むことができ（ステップ１）、あるいは、ゴルフ場、ゴルフ練習場で申し込むことができる（ステップ２）。利用者は上記利用申込を行うとき、会員料・利用料の支払いを、運営者サイド４の会員登録・決済処理部門に対して行う（ステップ３）。利用者は会員登録を済ませると、スウィング動画を正面と側面から同時に撮影し（ステップ４）、これらの動画を運営者サイド４の会員・動画利用受付処理部門にネットワークによるデータ送信、電子メールあるいは郵送等の適宜な送達手段で送付する。運営者サイド４は、動画を受け取ると、利用者（会員）に対して受付確認の電子メールを送るとともに、後述するコンピュータ処理により、フォーム評価シート６（図５参照）を作成し、Ｗｅｂサイトにアップロードし、アップ通知メールを利用者に送付する。利用者は、Ｗｅｂサイトへのアップ通知を受領するとＩＤ・パスワード認証により、Ｗｅｂサイトの個人ページにアクセスし、ここでスウィング画像の評価を受け取る（ステップ５）。
【００１７】
一方、利用者は、ステップ３で会員登録をした後は、スウィング改善などの問い合わせを運営者サイド４に行うことができ（ステップ６）、電子メールによって問い合わせの回答を運営者サイドから受領することができる（ステップ７）。運営者サイド４は、本システムのＷｅｂサイトを構築する（ステップ８）。運営者サイド４のＷｅｂサイトの構築に際しては、スウィング動画処理ソフトの開発（ステップ９）とコメント組み込み処理ソフトの開発が行われ（ステップ１０）、これらのソフトを用いて、運営者サイドのＷｅｂサイトが構築される。運営者サイド４は、次に、レッスンプロ等講師陣を確保するなどの営業活動を行う（ステップ１１）。また、営業活動により、ゴルフ場、ゴルフ練習場と連携し（ステップ１２）、利用者からの入会申込をこれらの施設から受け付けることができるようにする。
【００１８】
運営者サイド４は、クレジット・オーサリング会社との連携により（ステップ１３）、会員登録・決済処理を行う（ステップ１４）。また、会員になった利用者から送付された正面と側面から同時に撮影されたスウィング動画像を受け付け（ステップ１５）、この動画像を動画処理部門に転送して、正面からと側面（被評価者の後方）からの各々９フレームの静止画に分割処理するとともに（ステップ１６）、後述する評価スケール適用処理（ステップ１７）、コメント組込処理（ステップ１８）、レッスンプロのコメントチェック処理（ステップ１９）を行い、これらの処理は、コンピュータに格納されたフォーム評価シート作成プログラム８により行われ、該プログラム８により、フォーム評価シート６が作成される。作成されたフォーム評価シート６は、運営者サイドのＷｅｂサイトにアップロードされる（ステップ２０）。
【００１９】
会員のスウィング評価が掲載された画像を含むフォーム評価シート６のサイトアップが完了すると、サイトアップされた旨の通知を会員ページ更新済み通知として、会員に電子メールで送付する（ステップ２１）。会員からの運営者サイドに対するスウィング改造などの問い合わせに対しては、会員・質問受付部門で受け付け（ステップ２２）、回答者コメント入力処理部門に転送する。回答者コメント入力処理部門では問い合わせに対する回答を作成し（ステップ２３）、Ｗｅｂサイトにアップロードするとともに、質問者に対して回答メールを送付する（ステップ２４）。
【００２０】
次に、図２を参照して動画から、時系列に並んだ連続静止画を作成するフレーム分割処理について説明する。本処理ではデジタルビデオカメラ、デジタルスチルカメラ等で正面と側面の２方向から同時に撮影した動画をコンピュータのフォーム評価シート作成プログラム８の動画取込部１２に自動的に取り込んで動画データベース１０を作成する。この動画データベース１０の動画を、プログラム８の自動静止画変換部１４で１秒間あたり３０フレームの静止画に自動変換し（ステップ１）、この全静止画（フレーム）から、スウィングのチェックを客観的に行うため、一連のスウィング動作におけるチェックポイント即ちアドレス、テイクバック、トップ、インパクト、フォロースルーなどの全９分割フレーム１６をオペレータの手作業で選択し（ステップ２）、９フレーム静止画格納部１８に登録する（ステップ３）。なお、フレーム分割数は９フレームに特に限定されるものではなく、プレイヤーの技量に応じて、例えば中級者は１２分割、上級者は１６分割等、その他の分割数とすることが可能である。
【００２１】
次に、図３を参照して評価スケールの合成処理について説明する。この処理は、コンピュータの画面１９に表示されたスウィングのチェック用静止画像に、理想フォームからの位置や角度等のずれを視覚的に表示するための評価スケールを、静止画像のサイズに合わせながら、画面上で重ね合わせ、合成画像を作成する。図３Ａは、評価スケール格納部２０に格納されたクロック２２，マトリックス２４等の各種評価スケールを示し、図３Ｂは、評価スケールの中の、クロック２２を、テイクバックの静止画像のサイズに合わせて、コンピュータの画面１９に表示させ、静止画とクロック２２とを合成させた合成画像を示している。評価スケールは、図３Ａに示すように、各種のものが用意され、スウィング評価のための絶対基準としてのツールとして使用される。
【００２２】
クロック２２は、画像の各点の時計の文字盤上の位置を測定確認するために使用される。マトリックス２４は、正面・後方のスウィングの体の上下やクラブの位置などを確認する為に使用する格子状のスケールである。ドラムカン２６は正面映像のスエーのチェックに使用する。ドラムカン２６を足幅に合わせてその中で回転出来るか確認する。プロトラクター（分度器）２８は、主に、後方映像に使用しクラブの角度や体の角度を測るのに使用する。ペイント３０は、体やクラブが間違った位置にある場合、正しい位置を示すのに使用する描画ツールであり、測定用ではなくチェック用に使用する。スウィングプレーン３２は後方映像の時に使用し、ボールと肩を結んだ点にスウィングプレーンを重ねてクラブがそのラインを通っているか確認する為に使用する。
【００２３】
ジャイロ３４は、スウィングプレーンに背中のラインをプラスしてクラブと背中がインパクトまで正しく回転が出来ているかの確認に使用する。スケルトン３６は、正しい体とクラブの動きを表す映像である。スウィングと重ね合わせて修正点を見つけるものである。人体を単純な線で表したスケルトン３６はタイプＡとタイプＢがあり、タイプＡは正面図、タイプＢは側面図（後方から見た図）である。図３Ｃにスウィングプレーン３２と静止画との合成画像が示され、図３Ｄにマトリックス２４と静止画像との合成画像が示され、そして図３Ｅにドラムカン２６と静止画像の合成画像が示されている。スウィングチェック用静止画像に、図３Ｂ，Ｃ，Ｄ，Ｅに示すように、所望の評価スケールを合わせ、合成静止画像を作成し、この合成静止画像をレッスンプロなどの評価者がスウィング評価の参考とする。
【００２４】
また、前記合成画像は、理想フォームデータベースに基づいてフォームのチェックをするときに用いられる。この理想フォームデータベースは、ゴルフ専門誌・プロの書籍などで用いられているチェックポイントと、そのコーチング用語と、評価基準をデータベース化したもので、その一例が図４に示されている。複数のレッスンプロ若しくは同等の資格者が、コンピュータネットワークを通じ、個々の場所で、しかも遠隔地から、会員のスウィング静止画像に所望の評価スケールを適用し、その合成画像を参照しながら、評価ポイントを、手操作でコンピュータに入力する。例えば、評価者は、図３ＣのＮｏ．１の合成静止画像に基づいて、アドレスの構えが１８度であると判断すると、評価２を採点し、会員別、年月日別にフォーム評価データベース３８を更新する。
【００２５】
これらの評価は各チェックポイントごとに行われ、評価ごとに、スコアが決められる。例えば、評価１はイーグル、評価２はバーディ、評価３はパー、評価４はボギー、評価５はダブルボギーとする。フォームの各チェックポイントでスコアが決定し、各チェックポイントの合計でスコアを自動算出し全体評価が行われる。スウィング評価の結果がネットワークを通じてホストコンピュータのフォーム評価データベース３８に登録されると、フォーム評価データベース３８のデータは自動的にＨＴＭＬに変換され、図５に示すフォーム評価シート６の形でＷｅｂサイトにアップロードされる。
次にフォーム評価シート作成プログラムについて図６に基づいて説明する。
【００２６】
まず、コンピュータ操作者がフォーム評価シート作成プログラム８を利用してフォーム評価シート６のＮｏ．１の静止画に関するデータを入力する場合には、特定の会員のＮｏ．１のフレームを指定する。制御部４０は、９フレーム静止画格納部１８から、指定された会員のＮｏ．１のフレームを選択し、表示部４２を制御して、画面に表示する。次に操作者は、評価スケールの中から例えばマトリックス２４を指示すると、制御部４０は、評価スケール格納部２０からマトリックス２４を選択し、表示部４２を制御して画面上に、フレームＮｏ．１の静止画に重ねて、マトリックス２４を表示する。操作者がマトリックス２４の位置とサイズを指定すると、評価スケール調整部４４が働き、マトリックスを、所望の位置に移動させることができる。
【００２７】
次に操作者は、静止画とマトリックス２４の合成画像を見ながら、ゴルフスウィング理想フォームデータベース４６を参照して、例えば、アドレス時におけるグリップ、両腕、セットアップ、ボール位置をチェックする。グリップについては、握り方をチェックし、両手とも親指と人差し指の付け根にできるＹ字型が右肩を指すかどうかチェックする。また両腕については、両腕の形をチェックし、両肩とグリップが体の正面でＶ字を作るか否かチェックする。Ｖ字が１５度プラスマイナス２であれば、評価１、１８度プラスマイナス２であれば評価２というように、５段階の評価をゴルフスウィング理想フォームデータベース４６を参照して決定する。操作者は、Ｎｏ．１のフレームのアドレスの構えに関し、すべての評価を行い、評価データを入力する。
【００２８】
評価データが入力されると、評価ポイント入力部４８は、制御部４０の制御により、アドレスの構えに関しての評価が１であればイーグル、評価２であればバーディ、評価３であればパー、評価４であればボギー、評価５であればダブルボギーのスコアを、フォーム評価シート６のスコア欄４９に表示されるように、フォーム評価データベース３８の所定の箇所に入力する。また操作者は、アドレスの構えに関して、評価内容のコメントをキーボードを通じて入力すると、評価内容コメント入力部５０は、制御部４０の制御により、キーボードから入力されたコメントが、フォーム評価シート６の評価内容欄５２に表示されるように、フォーム評価データベース３８の所定の箇所に入力する。また操作者は、アドレスの構えに関して、アドバイスをキーボードを通じて入力すると、アドバイス入力部は制御部４０の制御により、キーボードから入力されたアドバイスが、フォーム評価シート６のアドバイス表示欄５４に表示されるように、フォーム評価データベース３８の所定の箇所に入力する。画面上の合成画像に対する評価が完了すると、この合成画像は、操作者のキーボードの操作に基づき、合成画像入力部５８によって、フォーム評価シート６の画像欄６０に表示されるように、フォーム評価データベース３８の所定の箇所に入力される。
【００２９】
上記の要領で、９分割された各静止画について、評価スケールとの合成画像、評価データ、評価内容コメント情報、アドバイスコメント情報、その他レッスンプロによる総合アドバイスが作成される。これらのデータは、それぞれフォーム評価データベース３８の対応する所定の箇所に入力され、該データベース３８が更新される。フォーム評価データベース３８中の特定の会員のデータベースが更新されると、その会員のデータベースは自動的にＨＴＭＬ形式のフォーム評価シート６に変換され、アップロード部６２により、運営者側のＷｅｂサイトにサイトアップされる。
【００３０】
本実施形態では、デジカメ等で撮影した動画を材料にして、一般の人には難しい、フォームチェック用の９フレームの静止画に変換することが可能である。また、プロなどの理想のスウィングと自分のスウィングと、画面上での比較が可能なので、改良すべきポイントを客観的に理解できる。また、複数の講師（レッスンプロ）から、自分に合った講師を選択して、評価を受けることも可能である。また、スウィング動画受付を行うと、会員資格を失わない限り、半永久的に保管するので、自分のフォームがどのように変わったのかを確認することができる。また、スウィングフォームは、ポイント制による評価とし、最低３のレッスンプロが評価し、その平均点により、個人の持ポイントを決定するようにしても良い。また一定の基準を満たすことにより、運営者サイドからハンディキャップを付与する。
【００３１】
そして、ハンディキャップ認定書を発行し、更に、ハンディキャップ上位の利用者はＷｅｂサイトのハンディキャップボードに、本人のコメントとともに掲載される栄誉が与えられる。また、ハンディキャップと異なり、一定期間のポイントの上昇での評価制度を設けることができ、上位利用者には、表彰状を付与するようにしても良い。また、利用者の性別・身長分類・体型別・筋力の強弱などから、データベースを構築し、利用者は、プロやアマチュアのデータを参照し、理想とするフォームを生み出し、かつ、スコアアップのためのクラブ選びのポイントを理解できるようにしても良い。また、ゴルフ場や、ゴルフ練習場と連携し、デジカメ等の操作が不得手な利用者については、有料で撮影を行うスタッフを準備し、撮影からＷｅｂサイトへの利用申し込みを代行するサービスを実施するようにしても良い。
【図面の簡単な説明】
【００３２】
【図１】本発明のフォーム評価システムを示す流れ図である。
【図２】本発明のフォーム評価システムを示す説明図である。
【図３】本発明のフォーム評価システムを示す説明図である。
【図４】本発明の理想フォームデータベースの説明図である。
【図５】フォーム評価シートの説明図である。
【図６】本発明のフォーム評価シート作成プログラムの機能ブロック説明図である。
【符号の説明】
【００３３】
２  ブロック
４  ブロック
６  フォーム評価シート
８  フォーム評価シート作成プログラム
１０  動画データベース
１２  動画取込部
１４  自動静止画変換部
１６  ９分割フレーム
１８  ９フレーム静止画格納部
１９  画面
２０  評価スケール格納部
２２  クロック
２４  マトリックス
２６  ドラムカン
２８  プロトラクター
３０  ペイント
３２  スウィングプレーン
３４  ジャイロ
３６  スケルトン
３８  フォーム評価データベース
４０  制御部
４２  表示部
４４  評価スケール調整部
４６  理想フォームデータベース
４８  評価ポイント入力部
４９  スコア欄
５０  評価内容コメント入力部
５２  評価内容欄
５４  アドバイス表示欄
５８  合成画像入力部
６０  画像欄
６２  アップロード部
６４  ＨＴＭＬ処理部
【図１】
2005288014.tif 000003
【図４】
2005288014.tif 000004
【図６】
2005288014.tif 000005
【図２】
2005288014.tif 000006
【図３】
2005288014.tif 000007
【図５】
2005288014.tif 000008